(57)【要約】【課題】輝度分布の劣化を抑制することができる面状照明装置を提供すること。【解決手段】実施形態の面状照明装置は、光源と、導光板と、反射シートと、放熱シートとを備える。光源は、光を出射する。導光板は、光源から出射された光が入射される入射面と、入射面と交差する主面であって入射面から入射された光を出射する出射面とを有する。反射シートは、導光板の出射面とは反対側の主面に設けられる。放熱シートは、光源および反射シートを跨ぐように配置される。放熱シートは、第１固定部材を介して光源に固定される第１固定部と、第１固定部材から離れて設けられた第２固定部材を介して反射シートに固定される第２固定部と、放熱シートおよび反射シートの少なくとも一方の熱応力を緩和する緩和部とを有する。【選択図】図２
2019114369.tif 000002
【特許請求の範囲】
【請求項１】
光を出射する光源と、
前記光源から出射された光が入射される入射面と、前記入射面と交差する主面であって前記入射面から入射された光を出射する出射面とを有する導光板と、
前記導光板の前記出射面とは反対側の主面に設けられる反射シートと、
前記光源および前記反射シートを跨ぐように配置される放熱シートと
を備え、前記放熱シートは、
第１固定部材を介して前記光源に固定される第１固定部と、
前記第１固定部材から離れて設けられた第２固定部材を介して前記反射シートに固定される第２固定部と、
前記放熱シートおよび前記反射シートの少なくとも一方の熱応力を緩和する緩和部と
を有する、面状照明装置。
【請求項２】
前記緩和部は、前記第１固定部と前記第２固定部との間に設けられる、請求項１に記載の面状照明装置。
【請求項３】
前記第２固定部は、前記入射面に沿う方向に設けられた第１領域および第２領域を含み、
前記緩和部は、前記第１領域と前記第２領域との間に設けられる、請求項１に記載の面状照明装置。
【請求項４】
前記光源は、前記入射面に沿う方向に配列された複数の発光部を有し、
前記第１固定部が、複数の前記発光部の配列方向に沿って延在している、請求項１〜３のいずれか１つに記載の面状照明装置。
【請求項５】
前記緩和部は、前記第１固定部よりも前記第２固定部に近い位置に設けられる、請求項１〜４のいずれか１つに記載の面状照明装置。
【請求項６】
前記反射シートは、飛島状に配置された複数の固定部材で前記第２固定部に固定される、請求項１〜５のいずれか１つに記載の面状照明装置。
【請求項７】
前記緩和部は、前記放熱シートを貫通するスリットを含む、請求項１〜６のいずれか１つに記載の面状照明装置。
【請求項８】
前記スリットの幅は、前記入射面に沿う方向よりも前記光源から離れる方向の方が長い、請求項７に記載の面状照明装置。
【請求項９】
前記緩和部は、前記放熱シートの端部が切り欠かれた切欠部を含む、請求項１〜８のいずれか１つに記載の面状照明装置。
【請求項１０】
前記切欠部の幅は、前記光源から離れる方向よりも前記入射面に沿う方向の方が長い、請求項９に記載の面状照明装置。
【請求項１１】
前記放熱シートは、グラファイトを収容したグラファイトシートであり、
前記緩和部は、前記放熱シートのシール部を含む、請求項１〜１０のいずれか１つに記載の面状照明装置。
【請求項１２】
前記緩和部は、前記入射面に沿う方向に複数配列されている、請求項１〜１１のいずれか１つに記載の面状照明装置。
【請求項１３】
前記緩和部は、前記光源から離れる方向に複数配列されている、請求項１〜１２のいずれか１つに記載の面状照明装置。
【発明の詳細な説明】
【技術分野】
【０００１】
本発明は、面状照明装置に関する。
【背景技術】
【０００２】
従来、ＬＥＤ（Light  Emitting  Diode）を有する光源が導光板の入射面に対向するように配置され、導光板の出射面とは反対側の主面には反射シートが配置された面状照明装置が知られている。また、かかる面状照明装置にあっては、光源と反射シートとを跨ぐように放熱シートが貼着され、光源で発生した熱を放熱する。
【先行技術文献】
【特許文献】
【０００３】
【特許文献１】特開２０１６−４７８２号公報
【特許文献２】特開２０１１−１８７３１２号公報
【発明の概要】
【発明が解決しようとする課題】
【０００４】
放熱シートが光源と反射シートの両方に固定された場合、温度変化や湿度変化による放熱シートと反射シートとの間の伸縮の差異によって、反射シートに皺が生じ得る。反射シートに皺が生じると、導光板と反射シートとの間隔が安定せず、導光板の出射面に輝度ムラが生じてしまう。このような態様の輝度ムラであっても出射面における輝度分布を劣化させるおそれがあることから、より高精細な照明を安定的に実現する上で改善が求められている。また、近時のいわゆる狭額縁化の要請に対応するにあたっては、額縁周辺の輝度分布の安定化が特に求められている。
【０００５】
本発明は、上記に鑑みてなされたものであって、輝度分布の劣化を抑制することができる面状照明装置を提供することを目的とする。
【課題を解決するための手段】
【０００６】
上述した課題を解決し、目的を達成するために、本発明の一態様に係る面状照明装置は、光源と、導光板と、反射シートと、放熱シートとを備える。光源は、光を出射する。導光板は、前記光源から出射された光が入射される入射面と、前記入射面と交差する主面であって前記入射面から入射された光を出射する出射面とを有する。反射シートは、前記導光板の前記出射面とは反対側の主面に設けられる。放熱シートは、前記光源および前記反射シートを跨ぐように配置される。前記放熱シートは、第１固定部材を介して前記光源に固定される第１固定部と、前記第１固定部材から離れて設けられた第２固定部材を介して前記反射シートに固定される第２固定部と、前記放熱シートおよび前記反射シートの少なくとも一方の熱応力を緩和する緩和部とを有する。
【発明の効果】
【０００７】
本発明の一態様によれば、輝度分布の劣化を抑制することができる。
【図面の簡単な説明】
【０００８】
【図１】図１は、実施形態に係る面状照明装置の外観の一例を示す平面図である。
【図２】図２は、図１のＡ−Ａ線における断面図である。
【図３−１】図３−１は、実施形態に係る放熱シートを示す平面図である。
【図３−２】図３−２は、図３−１のＢ−Ｂ線における断面図である。
【図４】図４は、光源と反射シートと放熱シートとの配置関係の一例を示す図である。
【図５】図５は、実施形態の第１の変形例に係る放熱シートを示す平面図である。
【図６】図６は、実施形態の第２の変形例に係る放熱シートを示す平面図である。
【図７】図７は、実施形態の第３の変形例に係る放熱シートを示す平面図である。
【図８】図８は、実施形態の第４の変形例に係る放熱シートを示す平面図である。
【図９】図９は、実施形態の第５の変形例に係る放熱シートを示す平面図である。
【図１０】図１０は、実施形態の第６の変形例に係る放熱シートを示す平面図である。
【発明を実施するための形態】
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１０】
なお、説明を分かりやすくするために、各図面には、鉛直上向きを正方向とし、鉛直下向きを負方向とするＺ軸を含む３次元の直交座標系を図示している。かかる直交座標系は、後述の説明に用いる他の図面でも示す場合がある。
【００１１】
（実施形態）
図１は、実施形態に係る面状照明装置の外観の一例を示す平面図である。図１の例に示すように、実施形態に係る面状照明装置１０の長手方向（Ｘ軸方向）の一端側は、第１遮光シート３０ａおよび第２遮光シート３０ｂを含む遮光シート３０で覆われる。また、面状照明装置１０の長手方向（Ｘ軸方向）の他端側は、遮光シート３１で覆われる。そして、面状照明装置１０は、遮光シート３０、３１で覆われていない出射領域（有効エリアとも称される）９０から光を出射する。すなわち、遮光シート３０、３１により、有効エリア９０が規定される。本実施形態に係る面状照明装置１０は、液晶表示装置のバックライトとして用いられる。かかる液晶表示装置は、例えば、スマートフォンにおいて用いられる。
【００１２】
ここで、図１において、遮光シート３１よりも遮光シート３０の方が、幅が広い。これは、遮光シート３０は、遮光シート３０の下部に存在する、後述するＬＥＤ１１やＦＰＣ１３等を含む比較的広い領域を覆い、遮光シート３１は、後述するＬＥＤ１１やＦＰＣ１３等が含まれない比較的狭い領域を覆うためである。
【００１３】
図２は、図１のＡ−Ａ線における断面図である。図２に示すように、面状照明装置１０は、ＬＥＤ１１、導光板１２、ＦＰＣ１３、反射シート１４、拡散シート１５、プリズムシート１６、フレーム１７、放熱シート１８および遮光シート３０、３１を有する。
【００１４】
フレーム１７は、略矩形状に形成された枠状の部材であり、内側にＬＥＤ１１、導光板１２、拡散シート１５およびプリズムシート１６を収容して支持する。また、フレーム１７は、ＬＥＤ１１の主面１３ａおよび導光板１２の主面１２ｂが配置される側にＦＰＣ１３および反射シート１４が取り付けられる。フレーム１７は、剛性があり、かつ軽量の、例えば、ポリカーボネート製の樹脂フレームである。なお、フレーム１７は、例えば、有底の枠状部材であってもよい。
【００１５】
ＬＥＤ１１は、例えば、青色ＬＥＤと黄色蛍光体とからなる疑似白色ＬＥＤであり、全体として略直方体状に形成され、一側面に発光面１１ｃを有するいわゆるサイドビュー型のＬＥＤである。すなわち、発光部としてのＬＥＤ１１がＦＰＣ１３の後述する実装面１３ａに実装された状態において、実装面１３ａに載置されるＬＥＤ１１の面１１ａは、発光面１１ｃと略直交する面に平行である。複数のＬＥＤ１１は、発光面１１ｃをＦＰＣ１３の実装面１３ａの短辺方向（Ｘ軸正方向）に向けた状態で、実装面１３ａの長辺方向（Ｙ軸方向）に沿って、所定の間隔を空けて実装面１３ａに実装される。ＬＥＤ１１およびＦＰＣ１３は、はんだで固定される。これにより、面状照明装置１０において、複数のＬＥＤ１１は、その発光面１１ｃを、導光板１２の後述する入射面１２ｃに対向させた状態で、入射面１２ｃの長辺方向（Ｙ軸方向）に沿って、所定の間隔を空けて配置されることとなる。なお、以下の説明では、ＬＥＤ１１およびＦＰＣ１３を総称して「光源」と表記する場合がある。
【００１６】
導光板１２は、透明材料（例えば、ポリカーボネート樹脂）を用いて上面視で矩形状に形成されている。導光板１２は、その外表面に、２つの主面１２ａ、１２ｂと、ＬＥＤ１１を配置する側の側面である入射面１２ｃとを有する。入射面１２ｃには、ＬＥＤ１１が発した光が入射される。２つの主面１２ａ、１２ｂのうち一方の主面１２ａは、入射面１２ｃから入射された光（ＬＥＤ１１が発した光）が出射される出射面である。そのため、以下の説明では、「主面１２ａ」を「出射面１２ａ」と表記する場合がある。導光板１２の出射面１２ａとは反対側の面である主面１２ｂ側の部分には、例えば、複数のドットからなる光路変更パターンが形成されている。光路変更パターンを形成することにより、導光板１２内を進む光の進行方向が変更されて、出射面１２ａから光が出射される。すなわち、実施形態に係る面状照明装置１０は、いわゆるエッジライト型の照明装置である。上述したように、導光板１２は、ＬＥＤ１１の発光面１１ｃが対向して配置される入射面１２ｃを有し、入射面１２ｃに入射された光を出射する。
【００１７】
ＦＰＣ１３は、２つの主面１３ａ、１３ｂを有する基板である。２つの主面１３ａ、１３ｂのうち、一方の主面１３ａは、ＬＥＤ１１が実装される実装面である。このため、「主面１３ａ」を「実装面１３ａ」と表記する場合がある。実装面１３ａは、ＬＥＤ１１の面１１ａと対向する。ＦＰＣ１３を介して、図示しない駆動回路の制御によりＬＥＤ１１が駆動し、発光する。
【００１８】
反射シート１４は、出射面１２ａとは反対側の主面１２ｂから漏れた光を反射して、再度導光板１２に戻す。反射シート１４は、フレーム１７に固定される。具体例を挙げて説明すると、反射シート１４は、フレーム１７の側壁１７ｃまで延在し、図示しない両面テープによりフレーム１７の側壁１７ｃおよびフレーム１７のＹ軸方向の両端部に固定された状態で、導光板１２と放熱シート１８との間に配置される。反射シート１４は、２つの主面１４ａ、１４ｂを有する。導光板１２の主面１２ｂと向かい合う主面１４ａとは反対側の主面１４ｂは、後述する固定部材を介して放熱シート１８の主面１８ａに固定される。
【００１９】
拡散シート１５は、導光板１２の出射面１２ａ側に配置され、出射面１２ａから出射される光を拡散する。具体例を挙げて説明すると、拡散シート１５は、出射面１２ａ及び面１１ｂの一部を覆うように配置され、出射面１２ａから出射される光を拡散する。ここで、面１１ｂは、ＬＥＤ１１の面１１ａとは反対側の面である。
【００２０】
プリズムシート１６は、拡散シート１５の出射面１２ａに対向する面とは反対側の面に配置され、拡散シート１５により拡散された光の配光制御を行って、配光制御が行われた光を出射する。
【００２１】
放熱シート１８は、面方向、すなわちＸＹ平面に沿う方向に対する高い熱拡散性を有する部材である。放熱シート１８は、ＦＰＣ１３および反射シート１４を跨ぐように配置され、ＬＥＤ１１が発した熱を拡散して放熱する。放熱シート１８の主面１８ａのうち、側壁１７ａ側（Ｘ軸負方向側）の端部は、ここでは図示しない固定部材（第１固定部材）によりＦＰＣ１３の主面１３ｂに固定されている。放熱シート１８は、ＦＰＣ１３に固定されることで、ＦＰＣ１３と固定されているＬＥＤ１１と固定される。すなわち、放熱シート１８は光源と固定される。また、放熱シート１８の主面１８ａは、ここでは図示しない固定部材（第２固定部材）により反射シート１４に固定されている。なお、放熱シート１８および放熱シート１８を固定するための固定部材の詳細な構成については、図３−１〜図４を用いて後述する。
【００２２】
遮光シート３０は、プリズムシート１６の側壁１７ａ側（Ｘ軸負方向側）の一部を覆うように配置され、導光板１２の出射面１２ａのうち一部の領域から出射される光を遮る。
【００２３】
遮光シート３０は、例えば光を遮ることが可能な両面テープである。遮光シート３０が有する２つの主面のうち、一方の主面の一端側は、フレーム１７の側壁１７ａに貼り付けられ、他端側は、プリズムシート１６のＸ軸負方向側に貼り付けられる。また、遮光シート３０の他方の主面は、面状照明装置１０をバックライトとして用いる液晶表示装置に貼り付けられる。
【００２４】
遮光シート３１は、プリズムシート１６の側壁１７ｃ側（Ｘ軸正方向側）を覆うように配置され、導光板１２の出射面１２ａのうち一部の領域から出射される光を遮る。
【００２５】
遮光シート３１は、例えば光を遮ることが可能な両面テープである。遮光シート３１が有する２つの主面のうち、一方の主面の一端側は、フレーム１７の側壁１７ｃに貼り付けられ、他端側は、プリズムシート１６の側壁１７ｃ側に貼り付けられる。また、遮光シート３１の他方の主面は、面状照明装置１０をバックライトとして用いる液晶表示装置に貼り付けられる。
【００２６】
次に、図３−１〜図４を参照して、実施形態に係る放熱シート１８について説明する。図３−１は、放熱シート１８の平面図であり、図３−２は、図３−１のＢ−Ｂ線における放熱シート１８の断面図であり、図４は、光源と反射シート１４と放熱シート１８との配置関係の一例を示す図である。
【００２７】
図３−１に示すように、放熱シート１８は、第１固定部１８ｃ、第２固定部１８ｄ、スリット１９ａ、１９ｂおよび切欠部２０ａ１、２０ａ２を含む。第１固定部１８ｃは、放熱シート１８のＸ軸負方向側の端部１８１に沿って延びる第１固定部材２１を介して放熱シート１８の主面１８ａがＦＰＣ１３に固定される部分である。第１固定部材２１は、例えば、両面テープである。このようにＦＰＣ１３の長さ方向に沿って放熱シート１８とＦＰＣ１３とを固定することにより、ＦＰＣ１３から放熱シート１８への熱拡散が円滑に実現され、光源で発生する熱を速やかに放熱させることができる。なお、第１固定部材２１は、複数に分割されていてもよい。
【００２８】
第２固定部１８ｄは、第２固定部１８ｄ１、１８ｄ２を含む。第２固定部１８ｄ１、１８ｄ２は、所定の間隔で入射面１２ｃに沿う方向（Ｙ軸方向）に並ぶ矩形状の領域である。第２固定部１８ｄ１は、第１領域の一例であり、第２固定部１８ｄ２は、第２領域の一例である。第２固定部１８ｄ１、１８ｄ２は、放熱シート１８のＸ軸正方向側の端部１８２側においてＹ軸方向側の端部１８３、１８４に沿うように配置される第２固定部材２２ａ、２２ｂを介して反射シート１４に固定される。第２固定部材２２ａ、２２ｂは、例えば、両面テープである。このようにＹ軸方向に所定の間隔を有するよう飛島状に配置された第２固定部材２２ａ、２２ｂにより反射シート１４と放熱シート１８とを部分的に固定することで、後述するスリット１９ａ、１９ｂ、切欠部２０ａ１、２０ａ２と協働してＦＰＣ１３、反射シート１４および放熱シート１８の間の熱膨張および熱収縮の程度の違いに基づいて反射シート１４に生じる熱応力を緩和することができる。
【００２９】
ここで、ＦＰＣ１３、反射シート１４および放熱シート１８の間の熱膨張および熱収縮の程度の違いについて説明する。図３−２に示すように、放熱シート１８は、粉状のグラファイト２５を樹脂フィルム２３、２４でラミネートした積層構造を有する。樹脂フィルム２３、２４は、例えばＰＥＴ樹脂である。なお、グラファイト２５は、例えばフィルム状に加工されたグラファイトフィルムであってもよい。また、樹脂フィルム２３、２４は、アルミ箔などの金属薄膜層を含んでもよい。金属薄膜層を含む樹脂フィルム２３、２４は、グラファイト２５と協働して面方向への熱拡散を促進することができる。
【００３０】
また、放熱シート１８は、収容部１８ａａとシール部１８ａｂとを含む。収容部１８ａａは、平面視でグラファイト２５を含む領域である。シール部１８ａｂは、平面視で収容部１８ａａを挟むように樹脂フィルム２３、２４でシールした、グラファイト２５を含まない領域である。図３−１に示すように、シール部１８ａｂは放熱シート１８の外縁部分を構成し、収容部１８ａａはシール部１８ａｂで囲まれた放熱シート１８の中央部分を構成する。また、放熱シート１８は、主面１８ａ、１８ｂを有する。主面１８ａは、第１固定部材２１および第２固定部材２２ａ、２２ｂを介してＦＰＣ１３および反射シート１４にそれぞれ固定される面である。主面１８ｂは、放熱シート１８で覆われていない反射シート１４の主面１４ｂとともに面状照明装置１０の底面を構成する。
【００３１】
また、図４に示すように、放熱シート１８は、平面視で第１固定部１８ｃと重なり合う光源、具体的には熱源であるＬＥＤ１１から導光板１２および反射シート１４の一部と重なり合うように延在している。反射シート１４は、導光板１２の全体を覆うように延在している。また、反射シート１４は、導光板１２の終端側（Ｘ軸正方向側）でフレーム１７と固定されており、放熱シート１８の終端側に位置する第２固定部１８ｄ１、１８ｄ２で第２固定部材２２ａ、２２ｂにより放熱シート１８と固定されている。
【００３２】
このように配置された放熱シート１８は、ＸＹ平面に沿って延びるグラファイト２５を有することにより、面方向、すなわちＸ軸方向およびＹ軸方向の熱膨張および熱収縮が制約される。そして、ＦＰＣ１３、反射シート１４および放熱シート１８の間の熱膨張および熱収縮の程度は、反射シート１４＞ＦＰＣ１３＞放熱シート１８の順となる。すなわち、放熱シート１８は、ＦＰＣ１３や反射シート１４と比較して熱膨張および熱収縮の程度が小さい。例えば、ＦＰＣ１３、反射シート１４および放熱シート１８が高温となる場合、放熱シート１８はＦＰＣ１３や反射シート１４と比較して膨張の程度が小さい。このため、放熱シート１８の第１固定部１８ｃおよび第２固定部１８ｄの近傍、ならびにＦＰＣ１３および反射シート１４のうち、第１固定部材２１および第２固定部材２２ａ、２２ｂで固定された部分の近傍では熱応力が発生する。
【００３３】
また、ＦＰＣ１３、反射シート１４および放熱シート１８が低温となる場合、放熱シート１８はＦＰＣ１３や反射シート１４と比較して収縮の程度が小さい。このため、放熱シート１８の第１固定部１８ｃおよび第２固定部１８ｄの近傍、ならびにＦＰＣ１３および反射シート１４のうち、第１固定部材２１および第２固定部材２２ａ、２２ｂで固定された部分の近傍では熱応力が発生する。このように面状照明装置１０が膨張と収縮を繰り返すごとに、反射シート１４、ＦＰＣ１３および放熱シート１８の同様の箇所で熱応力を受けることになる。そして、特に熱膨張および熱収縮の程度の差が大きい反射シート１４および放熱シート１８が固定されている第２固定部１８ｄの近傍では、反射シート１４および放熱シート１８の表面に皺が発生し、輝度分布が劣化するおそれがある。
【００３４】
実施形態に係る放熱シート１８は、反射シート１４および放熱シート１８の熱応力を緩和する緩和部を有する。図３−１に示すスリット１９ａ、１９ｂおよび切欠部２０ａ１、２０ａ２は、緩和部の一例である。
【００３５】
スリット１９ａ、１９ｂは、放熱シート１８を貫通する開口である。スリット１９ａは、第２固定部１８ｄ１のＹ軸正方向寄りに設けられている。スリット１９ｂは、第２固定部１８ｄ２のＹ軸負方向寄りに設けられている。すなわち、スリット１９ａ、１９ｂは、第２固定部１８ｄ１、１８ｄ２よりも中央寄り、より具体的には第２固定部１８ｄ１、１８ｄ２の間、すなわち第１領域と第２領域との間に配置されている。
【００３６】
放熱シート１８は、反射シート１４の膨張および収縮に応じてスリット１９ａ、１９ｂの形状を変形させるように位置関係が変動する。具体的には、例えば、反射シート１４が膨張または収縮すると、放熱シート１８は、反射シート１４の膨張または収縮の程度に応じてスリット１９ａ、１９ｂの幅が大きくまたは小さくなるように移動することで第２固定部材２２ａ、２２ｂで固定された反射シート１４および放熱シート１８に生じる熱応力を緩和する。
【００３７】
図３−１に示すスリット１９ａ、１９ｂの幅は、入射面１２ｃに沿う方向よりも光源から離れる方向の方が長い、すなわちＸ軸方向の方がＹ軸方向よりも大きくなるように形成されているため、スリット１９ａ、１９ｂは、Ｘ軸方向と比較してＹ軸方向への移動に対する自由度が大きい。このため、図３−１に示すスリット１９ａ、１９ｂによれば、特にＹ軸方向への膨張および収縮が顕著な場合において熱応力を緩和する効果が大きくなる。
【００３８】
切欠部２０ａ１、２０ａ２は、放熱シート１８のＹ軸方向の端部１８３、１８４に連続するように形成されている。切欠部２０ａ１は、第２固定部１８ｄ１のＸ軸負方向寄りに設けられている。切欠部２０ａ２は、第２固定部１８ｄ２のＸ軸負方向寄りに設けられている。すなわち、切欠部２０ａ１、２０ａ２は、第２固定部１８ｄ１、１８ｄ２よりも中央寄りに配置されている。
【００３９】
放熱シート１８は、反射シート１４の膨張および収縮に応じて切欠部２０ａ１、２０ａ２の形状を変形させるように位置関係が変動する。具体的には、例えば、反射シート１４が膨張または収縮すると、放熱シート１８は、反射シート１４の膨張または収縮の程度に応じて切欠部２０ａ１、２０ａ２の幅が大きくまたは小さくなるように移動することで第２固定部材２２ａ、２２ｂで固定された反射シート１４および放熱シート１８に生じる熱応力を緩和する。
【００４０】
図３−１に示す切欠部２０ａ１、２０ａ２の幅は、光源から離れる方向よりも入射面１２ｃに沿う方向の方が長い、すなわちＹ軸方向の方がＸ軸方向よりも大きくなるように形成されている。このため、切欠部２０ａ１、２０ａ２は、Ｙ軸方向と比較してＸ軸方向への移動に対する自由度が大きい。このため、図３−１に示す放熱シート１８によれば、特にＸ軸方向への膨張および収縮が顕著な場合において熱応力を緩和する効果が大きくなる。
【００４１】
すなわち、図３−１に示す放熱シート１８を備える面状照明装置１０によれば、入射面１２ｃに沿う方向、すなわちＹ軸方向に配列されるスリット１９ａ、１９ｂおよび切欠部２０ａ１、２０ａ２が協働してＸ軸方向およびＹ軸方向に対する熱膨張または熱収縮によって生じうる熱応力を緩和することができる。したがって、本実施形態に係る面状照明装置１０によれば、放熱シート１８や反射シート１４の表面に生じる皺に起因する導光板１２の入光側の出射面１２ａにおける輝度ムラの発生を抑制することができ、ひいては、導光板１２の入光側の出射面１２ａにおける輝度分布の劣化を抑制することができる。すなわち、輝度分布を劣化させることなく、入光側の狭額縁化を促進することができる。
【００４２】
以上、実施形態に係る面状照明装置１０について説明した。上述したように、実施形態に係る面状照明装置１０によれば、輝度分布の劣化を抑制することができる。
【００４３】
（実施形態の第１の変形例、第２の変形例）
上述した実施形態では、放熱シート１８が、２つのスリット１９ａ、１９ｂおよび２つの切欠部２０ａ１、２０ａ２をそれぞれ有する場合について説明した。しかしながら、放熱シート１８が有するスリットおよび切欠部の数は制限されない。そこで、放熱シート１８が、スリットおよび切欠部を一つずつ有する場合、三つのスリットを有する場合の変形例を、実施形態の第１の変形例および第２の変形例としてそれぞれ説明する。第１の変形例、第２の変形例および後述する第３〜第６の変形例の説明において、上述した実施形態と同様の構成については、同一の符号を付して、説明を省略する場合がある。
【００４４】
図５は、実施形態の第１の変形例に係る放熱シート１８を示す平面図であり、図６は、実施形態の第２の変形例に係る放熱シート１８を示す平面図である。
【００４５】
第１の変形例に係る放熱シート１８では、Ｙ軸負方向寄りにスリット１９ａおよび切欠部２０ａを一つずつ有してもよい。例えば、図５に示す放熱シート１８は、Ｙ軸正方向寄りにスリット１９ｂおよび切欠部２０ｂを有しないことを除き、図３−１に示す放熱シート１８と同じ構成を有している。
【００４６】
スリット１９ａの幅は、Ｘ軸方向の方がＹ軸方向よりも大きくなるように形成されているため、図５に示す放熱シート１８によれば、特にＹ軸方向への膨張および収縮が顕著な場合において熱応力を緩和する効果が大きくなる。
【００４７】
また、切欠部２０ａの幅は、Ｙ軸方向の方がＸ軸方向よりも大きくなるように形成されているため、図５に示す放熱シート１８によれば、特にＸ軸方向への膨張および収縮が顕著な場合において熱応力を緩和する効果が大きくなる。
【００４８】
すなわち、第１の変形例に係る放熱シート１８を備える面状照明装置１０においても、入射面１２ｃに沿う方向、すなわちＹ軸方向に配列されるスリット１９ａおよび切欠部２０ａが協働してＸ軸方向およびＹ軸方向に対する熱膨張または熱収縮によって生じうる熱応力を緩和することができる。
【００４９】
なお、図５に示す例では、スリット１９ａおよび切欠部２０ａがいずれもＹ軸負方向寄りに配置された例について示したが、スリット１９ａまたは切欠部２０ａがＹ軸正方向寄りに配置されてもよい。
【００５０】
第２の変形例に係る放熱シート１８では、切欠部２０ａ１のＸ軸負方向寄りに切欠部２０ｂをさらに有してもよい。例えば、図６に示す放熱シート１８は、Ｙ軸負方向寄りに切欠部２０ｂをさらに有することを除き、図３−１に示す放熱シート１８と同じ構成を有している。
【００５１】
切欠部２０ｂの幅は、切欠部２０ａ１と同様にＹ軸方向の方がＸ軸方向よりも大きくなるように形成されている。また、切欠部２０ａ１および切欠部２０ｂを有することで光源から離れる方向、すなわちＸ軸方向に複数配列される。このため、図６に示す放熱シート１８によれば、特にＸ軸方向への膨張および収縮が顕著な場合において図３−１に示す放熱シート１８と比較して熱応力を緩和する効果がさらに大きくなる。
【００５２】
なお、図６に示す例では、切欠部２０ｂがＹ軸負方向側の端部１８３に配置された例について示したが、Ｙ軸正方向側の端部１８４にさらに配置されてもよい。
【００５３】
（実施形態の第３の変形例、第４の変形例）
上述した実施形態では、放熱シート１８が、緩和部としてスリットおよび切欠部の両方を有する場合について説明した。しかしながら、放熱シート１８はスリットおよび切欠部の一方を有していればよい。そこで、放熱シート１８が、切欠部のみを有する場合、スリットのみ有する場合の変形例を、実施形態の第３の変形例および第４の変形例としてそれぞれ説明する。
【００５４】
図７は、実施形態の第３の変形例に係る放熱シート１８を示す平面図であり、図８は、実施形態の第４の変形例に係る放熱シート１８を示す平面図である。
【００５５】
第３の変形例に係る放熱シート１８では、Ｙ軸方向の両端部に三角形状の切欠部を一つずつ有してもよい。例えば、図７に示す放熱シート１８は、Ｙ軸方向の両端部に三角形状の切欠部２０ｃ１、２０ｃ２を一つずつ有する。
【００５６】
切欠部２０ｃ１、２０ｃ２は、Ｘ軸方向、Ｙ軸方向ともに大きく切り欠かれているため、図７に示す放熱シート１８によれば、Ｘ軸方向およびＹ軸方向への膨張および収縮が顕著な場合において熱応力を緩和することができる。
【００５７】
なお、図７に示す例では、三角形状の切欠部が配置された例について示したが、例えば台形であってもよく、さらに切欠部に代えてスリットであってもよい。
【００５８】
第４の変形例に係る放熱シート１８では、長手方向がＸ軸方向およびＹ軸方向に対して斜めのスリットを有してもよい。例えば、図８に示す放熱シート１８は、緩和部として長手方向がＸ軸方向およびＹ軸方向に対して斜めのスリット１９ｃ、１９ｄを有する。
【００５９】
スリット１９ｃ、１９ｄは、Ｘ軸方向、Ｙ軸方向に対して斜めに配置されているため、図８に示す放熱シート１８によれば、Ｘ軸方向およびＹ軸方向への膨張および収縮が顕著な場合において熱応力を緩和することができる。
【００６０】
（実施形態の第５の変形例）
第５の変形例に係る放熱シート１８では、略Ｌ字形状または鉤状の切欠部を有してもよい。例えば、図９に示す放熱シート１８は、緩和部として切欠部２０ｄ１、２０ｄ２を有する。
【００６１】
切欠部２０ｄ１は、放熱シート１８のＹ軸負方向の端部１８３からＹ軸正方向側に延び、さらにＸ軸正方向側に折れ曲がった形状を有している。これにより、第２固定部１８ｄ１は、切欠部２０ｄ１および端部１８２、１８３で囲まれるように配置される。
【００６２】
また、切欠部２０ｄ２は、放熱シート１８のＹ軸正方向の端部１８４からＹ軸負方向側に延び、さらにＸ軸正方向側に折れ曲がった形状を有している。これにより、第２固定部１８ｄ２は、切欠部２０ｄ２および端部１８２、１８４で囲まれるように配置される。
【００６３】
切欠部２０ｄ１、２０ｄ２の幅は、Ｙ軸方向の方がＸ軸方向よりも大きくなるように形成された部分と、Ｘ軸方向の方がＹ軸方向よりも大きくなるように形成された部分とを有するため、図９に示す放熱シート１８によれば、Ｘ軸方向およびＹ軸方向への膨張および収縮が顕著な場合において熱応力を緩和することができる。なお、切欠部２０ｄ１、２０ｄ２は、Ｘ軸方向に延びるスリットと、Ｙ軸方向に延びる切欠部とが、結合した形態とみなすこともできる。
【００６４】
また、第５の変形例に係る放熱シート１８では、Ｙ軸方向の端部１８３、１８４からＹ軸方向に沿うように延びるドットライン１８ｅ１、１８ｅ２を有してもよい。ドットライン１８ｅ１、１８ｅ２は、Ｙ軸方向に沿うように所定間隔で並ぶ複数のスリットである。このようにドットライン１８ｅ１、１８ｅ２を有する放熱シート１８によれば、切欠部２０ｄ１、２０ｄ２と協働して熱応力を緩和することができる。なお、ドットライン１８ｅ１、１８ｅ２は、切欠部２０ｄ１、２０ｄ２と併存させる必要はなく、ドットライン１８ｅ１、１８ｅ２を単独で設けてもよい。
【００６５】
（実施形態の第６の変形例）
上述した実施形態では、放熱シート１８が、飛島状に配置された複数の第２固定部１８ｄを有する場合について説明した。しかしながら、第２固定部１８ｄは一つであってもよい。そこで、放熱シート１８が、一つの第２固定部１８ｄのみを有する場合の変形例を、実施形態の第６の変形例として説明する。
【００６６】
図１０は、実施形態の第６の変形例に係る放熱シート１８を示す平面図である。
【００６７】
第６の変形例に係る放熱シート１８では、Ｙ軸方向の中央部分に一つの第２固定部１８ｄを有してもよい。例えば、図１０に示す放熱シート１８は、Ｙ軸方向の中央部分にＸ軸正方向側の端部１８２に沿うように第２固定部１８ｄを有する。
【００６８】
また、第２固定部１８ｄのＸ軸負方向寄りには、緩和部として略Ｕ字状のスリット１９を有する。スリット１９の幅は、Ｙ軸方向の方がＸ軸方向よりも大きくなるように形成された部分と、Ｘ軸方向の方がＹ軸方向よりも大きくなるように形成された部分とを有するため、図１０に示す放熱シート１８によれば、Ｘ軸方向およびＹ軸方向への膨張および収縮が顕著な場合において熱応力を緩和することができる。
【００６９】
なお、上記の実施形態では、放熱シート１８が有する緩和部として、樹脂フィルム２３、２４を有しない所定形状のスリットおよび切欠部を例示して説明したが、樹脂フィルム２３、２４を有するシール部１８ａｂとして設けられてもよい。
【００７０】
また、上記の実施形態では、第１固定部１８ｃよりも第２固定部１８ｄに近い位置に緩和部が設けられた放熱シート１８について説明したが、等距離であってもよく、また第２固定部１８ｄよりも第１固定部１８ｃに近くてもよい。
【００７１】
また、図４では、放熱シート１８が平面視で導光板１２および反射シート１４の一部と重なり合うように延在しているとして説明したが、反射シート１４および導光板１２の終端側（Ｘ軸正方向側）まで延在するようにＸ軸方向に長い放熱シート１８を設けてもよい。
【００７２】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７３】
１０  面状照明装置、１１  ＬＥＤ、１２  導光板、１２ａ  出射面、１２ｃ  入射面、１３  ＦＰＣ、１４  反射シート、１５  拡散シート、１６  プリズムシート、１７  フレーム、１８  放熱シート、１８ｃ  第１固定部、１８ｄ  第２固定部、１９，１９ａ〜１９ｄ  スリット（緩和部）、２０ａ，２０ａ１，２０ａ２，２０ｂ，２０ｃ１，２０ｃ２  切欠部（緩和部）、２１  第１固定部材、２２ａ，２２ｂ  第２固定部材
【図１】
2019114369.tif 000003
【図２】
2019114369.tif 000004
【図３−１】
2019114369.tif 000005
【図３−２】
2019114369.tif 000006
【図４】
2019114369.tif 000007
【図５】
2019114369.tif 000008
【図６】
2019114369.tif 000009
【図７】
2019114369.tif 000010
【図８】
2019114369.tif 000011
【図９】
2019114369.tif 000012
【図１０】
2019114369.tif 000013